(57)【要約】  エンハンスド・オーデイオを提供するための方法及び装置が記載される。幾つかの実施の形態では、音声合成情報は、言語、トーン、性別、及びボリュームのような受信放送尾根意の属性のユーザ制御を提供するために用いられる。他の実施の形態では、音声合成情報は、放送オーデイオ信号より前に送信され、オーデイオ信号に中断が存在する場合には、受信ノードが放送オーデイオ信号の代わりに合成された音声を用いることができるようにする。さらに他の実装は、背景情報、関連したローカル情報、タイトル、著者、等のような、放送オーデイオ信号とは異なる音声の合成を許容する。他の実施の形態は、単一の送信ストリームにおいて多音声プログラミングの同時送信を許容し、選択されたプログラムを表わす音声を合成するための送信された組のプログラムから１つのプログラムをユーザが選択できるようにする。
2009544247.tif 000002
【特許請求の範囲】
【請求項１】
情報を伝達する方法であって、
無線通信チャンネルで音声合成情報を送信することを備え、前記音声合成情報は、i）音声の音声表示及びii）音声のテキスト情報及び音声合成器制御情報のうちの少なくとも一方を含む、方法。
【請求項２】
前記音声合成情報は、トーン、性別、ボリューム、及び音声レートを含む合成パラメータのグループからの少なくとも１つの合成パラメータを含む、請求項１の方法。
【請求項３】
前記音声合成情報は、書籍の一部分のコンテンツ及び天気情報のうちの少なくとも一方を含む、請求項２の方法。
【請求項４】
前記送信することは、前記音声合成情報を複数のユーザに放送することを含み、
前記方法は、
前記音声合成情報に加えて、前記音声合成情報に対応するオーデイオ信号を放送することをさらに備える、請求項１の方法。
【請求項５】
前記放送オーデイオ信号の一部分に対応する音声合成情報が、前記対応する放送オーデイオ信号の送信より先に送信される、請求項４の方法。
【請求項６】
前記音声合成情報は、少なくとも一部分が前記対応する放送オーデイオ信号に既に存在する音声を合成する場合に用いられるべき情報を含む、請求項４の方法。
【請求項７】
前記音声合成情報は、少なくとも一部分が前記対応する放送オーデイオ信号にまだ存在していない音声を合成する場合に用いられるべき情報を含む、請求項４の方法。
【請求項８】
前記音声合成情報は、前記対応する放送オーデイオ信号に存在しない情報を伝達する音声を合成する場合に用いられるべき情報を含み、前記音声合成情報は、著者、タイトル、著作権及びデジタル著作権管理情報のうちの少なくとも１つを提供する、請求項４の方法。
【請求項９】
前記音声合成情報は、前記対応する放送オーデイオ信号存在しない情報を伝達する音声を合成する場合に用いられるべき情報を含み、前記音声合成情報は、前記対応するオーデイオ情報に含まれない少なくとも幾つかのニュース情報を提供し、前記ニュース情報は、地域天気情報、ローカル天気情報、交通情報、ヘッドライン・ニュース情報及び株式市場情報のうちの少なくとも１つを含む、請求項４の方法。
【請求項１０】
前記音声合成情報は、前記オーデイオ放送とは異なる言語で搬送する音声を合成するための情報を含み、前記オーデイオ放送信号によって搬送される情報の少なくとも幾つかと音声を合成するための対応する情報は同じである、請求項４の方法。
【請求項１１】
前記音声合成情報を受信するための複数のユーザデバイスを動作させること、および、
少なくとも幾つかのローカル音声合成生成情報を用いて前記音声合成情報から音声を生成するために前記複数のデバイスのうちの少なくとも幾つかを動作させることをさらに備え、前記ローカル音声合成生成情報は前記複数のデバイスのうちの少なくとも幾つかに対して異なっている、請求項１の方法。
【請求項１２】
前記ローカル音声合成生成情報のうちの少なくとも幾つかは、訛り、音声レート、ボイス性別のうちの少なくとも１つを示すユーザ選択音声合成パラメータを含む、請求項１１の方法。
【請求項１３】
前記音声合成情報を受信するためのユーザデバイスを動作させること、
前記オーデイオ情報の一部分を受信するために前記ユーザデバイスを動作させること、
前記オーデイオ情報の一部分が首尾よく受信されなかったことを検知するために前記ユーザデバイスを動作させること、
首尾よく受信されなかった前記オーデイオ情報の前記部分の少なくとも幾つかに対応する音声合成情報からオーデイオ信号を生成すること、
をさらに備える、請求項２の方法。
【請求項１４】
前記ユーザデバイスは、前記放送オーデイオ信号から生成されたオーデイオを再生すること及び前記オーデイオ信号の受信におけるロスの関数として前記音声合成情報からオーデイオ信号を生成することとの間で切替え、前記合成されたオーデイオは、前記対応するオーデイオ信号の受信が失われる場合に用いられる、請求項１３の方法。
【請求項１５】
通信デバイスであって、
記憶された音声合成情報であって、i）音声の音声表示及びii）音声のテキスト表示及び音声合成器制御情報のうちの少なくとも一方を含む音声合成情報と、
記憶されたオーデイオ情報及び対応する音声合成情報の送信を制御するための放送送信制御モジュールと、
前記記憶された音声合成情報の少なくとも幾つかを無線通信チャンネルで送信するための無線送信機と、
を備える通信デバイス。
【請求項１６】
記憶された放送送信スケジュール情報をさらに備え、
前記放送送信制御モジュールは、前記放送送信スケジュール情報に従って、前記記憶された音声情報の送信を制御する、請求項１５の通信デバイス。
【請求項１７】
前記少なくとも幾つかの記憶された音声合成情報に対応する記憶された圧縮オーデイオをさらに備え、前記放送送信制御モジュールは、前記幾つかの記憶された音声合成情報の送信に加えて、送信される合成情報に対応する記憶された圧縮オーデイオの送信を制御する、請求項１５の通信デバイス。
【請求項１８】
前記音声合成情報は、トーン、性別、ボリューム、及び音声レートを含む合成パラメータのグループからの少なくとも１つの合成パラメータを含む、請求項１５の通信デバイス。
【請求項１９】
前記記憶された音声合成情報は、書籍の一部分のコンテンツ及び天気情報のうちの少なくとも一方を伝達する情報を含む、請求項１６の通信デバイス。
【請求項２０】
前記通信デバイスは基地局であり、
前記送信機はＯＦＤＭ信号送信機であり、
前記送信機は、前記オーデイオ及び前記音声合成情報の両方を放送する、請求項１５の方法。
【請求項２１】
前記放送送信制御モジュールは、前記放送圧縮オーデイオ信号の一部分に対応する音声合成情報が前記対応する放送圧縮オーデイオ信号の送信より前に送信されるように圧縮オーデイオ情報に対応する音声合成情報の送信を制御する構成とされる、請求項２０の通信デバイス。
【請求項２２】
前記音声合成情報は、少なくとも一部分が前記対応する放送オーデイオ信号に既に存在する音声を合成する場合に用いられるべき情報を含む、請求項２０の通信デバイス。
【請求項２３】
前記音声合成情報は、少なくとも一部分が前記対応する放送オーデイオ信号にまだ存在していない音声を合成する場合に用いられるべき情報を含む、請求項２０の通信デバイス。
【請求項２４】
前記音声合成情報は、前記対応する放送オーデイオ信号に存在しない情報を伝達する音声を合成する場合に用いられるべき情報を含み、前記音声合成情報は、著者、タイトル、著作権及びデジタル著作権管理情報のうちの少なくとも１つを提供する、請求項２０の通信デバイス。
【請求項２５】
前記音声合成情報は、前記対応する放送オーデイオ信号に存在しない情報を伝達する音声を合成する場合に用いられるべき情報を含み、前記音声合成情報は、前記対応するオーデイオ情報に含まれない少なくとも幾つかのニュース情報を提供し、前記ニュース情報は、地域天気情報、ローカル天気情報、交通情報、ヘッドライン・ニュース情報及び株式市場情報のうちの少なくとも１つを含む、請求項２０の通信デバイス。
【請求項２６】
前記音声合成情報は、前記オーデイオ放送とは異なる言語で搬送する音声を合成するための情報を含み、前記オーデイオ放送信号によって搬送される情報の少なくとも幾つか及び音声を合成するための対応する情報とは同じである、請求項２０の通信デバイス。
【請求項２７】
通信デバイスであって、
記憶された音声合成情報であって、i）音声の音声表示及びii）音声のテキスト表示及び音声合成器制御情報のうちの少なくとも一方を含む音声合成情報と、
記憶されたオーデイオ情報および対応する音声合成情報の少なくとも放送送信を制御するために放送送信を制御するための手段と、
前記記憶された音声合成情報の少なくとも幾つかを無線通信チャンネルで送信するために送信するための手段と、
を備える通信デバイス。
【請求項２８】
記憶された放送送信スケジュール情報をさらに備え、
放送送信を制御するための前記手段は、前記放送送信スケジュール情報に従って、前記記憶された音声情報の送信を制御する、請求項２７の通信デバイス。
【請求項２９】
前記少なくとも幾つかの記憶された音声合成情報に対応する記憶された圧縮オーデイオをさらに備え、放送送信を制御するための前記手段は、前記少なくとも幾つかの記憶された音声合成情報の送信に加えて、送信される合成情報に対応する記憶された圧縮オーデイオの送信を制御する、請求項２７の通信デバイス。
【請求項３０】
前記音声合成情報は、トーン、性別、ボリューム、及び音声レートを含む合成パラメータのグループからの少なくとも１つの合成パラメータを含む、請求項２７の通信デバイス。
【請求項３１】
前記音声合成情報は、書籍の一部分のコンテンツ及び天気情報のうちの少なくとも一方を伝達する情報を含む、請求項２８の通信デバイス。
【請求項３２】
前記通信デバイスは基地局であり、
前記送信するための手段は、ＯＦＤＭ信号送信機であり、
前記送信するための手段は、前記オーデイオ及び前記音声合成情報の両方を放送する、請求項２７の通信デバイス。
【請求項３３】
放送送信を制御するための手段は、前記放送される圧縮オーデイオ信号の一部分に対応する音声合成情報が前記対応する放送圧縮オーデイオ信号の送信より前に送信されるように圧縮オーデイオ情報に対応する音声合成情報の送信を制御する構成とされる、請求項３２の通信デバイス。
【請求項３４】
前記音声合成情報は、少なくとも一部分が前記対応する放送オーデイオ信号に既に存在する音声を合成する倍に用いられるべき情報を含む、請求項３２の通信デバイス。
【請求項３５】
前記音声合成情報は、少なくとも一部分が前記対応する放送オーデイオ信号にまだ存在していない音声を合成する場合にもちいられるべき情報を含む、請求項３２の通信デバイス。
【請求項３６】
前記音声合成情報は、前記対応する放送オーデイオ信号に存在しない情報を伝達する音声を合成する場合に用いられるべき情報を含み、前記音声合成情報は、著者、タイトル、著作権、及びデジタル著作権管理情報のうちの少なくとも１つを提供する、請求項３２の通信デバイス。
【請求項３７】
前記音声合成情報は、前記対応する放送オーデイオ信号に存在しない情報を伝達する音声を合成する場合に用いられるべき情報を含み、前記音声合成情報は、前記対応するオーデイオ情報に含まれない少なくとも幾つかのニュース情報を提供し、前記ニュース情報は、地域天気情報、ローカル天気情報、交通情報、ヘッドライン・ニュース情報及び株式市場情報のうちの少なくとも１つを含む、請求項３２の通信デバイス。
【請求項３８】
前記音声合成情報は、前記オーデイオ放送とは異なる言語で搬送する音声を合成するための情報を含み、前記オーデイオ放送信号によって搬送される情報の少なくとも幾つか及び音声を合成するための前記情報は同じである、請求項３２の通信デバイス。
【請求項３９】
情報を複数のユーザに伝達する方法を実行するための機械実行可能命令を具現するコンピュータ読取り可能媒体であって、
前記方法は、
無線通信チャンネルで、音声合成情報を放送することを備え、前記音声合成情報は、i）音声の音声表示及びii）音声のテキスト表示及び音声合成器制御情報の少なくとも一方を含む、コンピュータ読取り可能媒体。
【請求項４０】
前記音声合成情報は、トーン、性別、ボリューム、及び音声レートを含む合成パラメータのグループからの少なくとも１つの合成パラメータを含む、請求項３９のコンピュータ読取り可能媒体。
【請求項４１】
前記音声合成情報は、書籍の一部分のオンテンツ及び天気情報のすく案区とも一方を伝達する情報を含む、請求項４０のコンピュータ読取り可能媒体。
【請求項４２】
前記音声合成情報に対応するオーデイオ信号を放送する
ための機械実行可能命令をさらに備える、請求項３９のコンピュータ読取り可能媒体。
【請求項４３】
前記放送オーデイオ信号の一部分に対応する音声合成情報が、前記対応する放送オーデイオ信号の送信より前に送信される、請求項４２のコンピュータ読取り可能媒体。
【請求項４４】
前記音声合成情報は、少なくとも一部分が前記対応する放送オーデイオ信号に既に存在する音声を合成する場合に用いられるべき情報を含む、請求項４２のコンピュータ読取り可能媒体。
【請求項４５】
無線端末を動作させる方法であって、
無線通信チャンネルから音声合成情報を受信すること、
前記音声合成情報から可聴音声を生成することを備え、可聴音声を生成するステップは、少なくとも幾つかの音声合成パラメータを適用することを含む、無線端末を動作させる方法。
【請求項４６】
前記音声合成パラメータの少なくとも幾つかは、前記デバイスのユーザによって設定され、
前記受信音声合成情報は、i）音声の音声表示及びii）音声のテキスト表示の少なくとも一方を含む、請求項４５の方法。
【請求項４７】
前記受信音声合成情報は、少なくとも幾つかの音声合成器制御情報をさらに含む、請求項４６の方法。
【請求項４８】
前記デバイスのユーザによって設定される少なくとも幾つかの音声合成パラメータを適用する前記ステップより前に、
前記少なくとも幾つかの音声合成パラメータを設定するユーザ・プリファレンス情報を無線端末のユーザから受信する
ステップを実行することをさらに備える、請求項４６の方法。
【請求項４９】
前記無線端末のユーザによって設定される少なくとも幾つかの音声合成パラメータは、訛り、音声レート、ボイス性別、アクセント、トーン、及び言語の少なくとも１つを表示する、請求項４８の方法。
【請求項５０】
無線通信チャンネルからの前記受信音声合成情報は、書籍の一部分のコンテンツ及び天気情報の少なくとも一方を含む、請求項４９の方法。
【請求項５１】
放送音声合成情報を受信するための無線受信機モジュールと、
音声合成制御パラメータのユーザ・プリファレンス設定を受信するユーザ・プリファレンス・モジュールと、
前記受信放送音声合成情報及び前記ユーザ・プリファレンスに応答して設定される前記音声合成器制御パラメータを用いてオーデイオ出力を生成するためのオーデイオ出力生成モジュールと、
を備える通信デバイス。
【請求項５２】
前記音声合成制御パラメータは、訛り、音声レート、ボイス性別、ボイス・モデル、及びアクセント、トーン、及び言語の少なくとも１つを表示する、請求項５１の通信デバイス。
【請求項５３】
前記無線端末受信機は、ＯＦＤＭ受信機である、請求項５１の通信デバイス。
【請求項５４】
前記ＯＦＤＭ受信機は、音声のテキスト表示を含む放送音声合成情報を第１のＯＦＤＭ通信チャンネルで受信し、かつ、前記ＯＦＤＭ受信機は、圧縮オーデイオを第２のＯＦＤＭ通信チャンネルで受信する、請求項５３の通信デバイス。
【請求項５５】
テキスト表示を含む前記放送音声合成情報の少なくとも幾つかは、回復を試行している前記無線端末に送信されている放送圧縮オーデイオ信号の一部分として同じ情報を表わす、請求項５４の通信デバイス。
【請求項５６】
放送音声合成情報を受信するための手段と、
音声合成制御パラメータのユーザ・プリファレンス設定を受信するための手段と、
前記受信放送音声合成情報及び前記ユーザ・プリファレンスに応答して設定される前期音声合成器制御パラメータを用いてオーデイオ出力を生成するための手段と、
を備える通信デバイス。
【請求項５７】
前記音声合成器制御パラメータは、訛り、音声レート、ボイス性別、ボイス・モデル、及びアクセント、トーン、及び言語の少なくとも１つを表示する、請求項５６の通信デバイス。
【請求項５８】
前記受信するための手段は、ＯＦＤＭ受信機である、請求項５６の通信デバイス。
【請求項５９】
前記ＯＦＤＭ受信機は、音声のテキスト表示を含む放送音声合成情報を第１のＯＦＤＭ通信チャンネルで受信し、そして、前記ＯＦＤＭ受信機は、圧縮オーデイオを第２のＯＦＤＭ通信チャンネルで受信する、請求項５８の通信デバイス。
【請求項６０】
テキスト表示を含む前記放送音声合成情報の少なくとも幾つかは、回復を試行している前記無線端末に送信されている放送圧縮オーデイオ信号の一部分として同じ情報を表示する、請求項５９の通信デバイス。
【請求項６１】
無線通信チャンネルから音声合成情報を受信すること、
前記音声合成情報から可聴音声を生成することを備え、可聴音声を生成する前記ステップは、前記デバイスのユーザによって設定される少なくとも幾つかの音声合成パラメータを適用することを含む方法を実行するために無線端末を制御するための機械実行可能命令を具現するコンピュータ読取り可能媒体。
【請求項６２】
前記受信された音声合成情報は、i）音声の音声表示及びii）音声のテキスト表示の少なくとも一方を含む、請求項６１のコンピュータ読取り可能媒体。
【請求項６３】
前記受信された音声合成情報は、少なくとも幾つかの音声合成器制御情報を含む、請求項６２のコンピュータ読取り可能媒体。
【請求項６４】
前記デバイスのユーザによって設定される少なくとも幾つかの音声合成情報を適用することを含む前記ステップの前に、前記少なくとも幾つかの音声合成情報を設定するユーザ・プリファレンスを無線端末のユーザから受信すること付加的ステップを実行するための命令をさらに具現する、請求項６２のコンピュータ読取り可能媒体。
【請求項６５】
前記無線端末のユーザによって設定される前期少なくとも幾つかの音声合成パラメータは、訛り、音声レート、ボイス性別、ボイス・モデル、アクセント、トーン、及び言語のうちの少なくとも１つを示す、請求項６４のコンピュータ読取り可能媒体。
【請求項６６】
無線通信チャンネルからの受信された音声合成情報は、書籍の一部分のコンテンツ及び天気情報の少なくとも一方を含む、請求項６５のコンピュータ読取り可能媒体。
【請求項６７】
音声合成情報を受信すること、
オーデイオ情報の一部分を受信すること、
オーデイオ情報の一部分が首尾よく受信されていないことを検知すること、
及び、首尾よく受信されなかった前記オーデイオ情報の前記部分の少なくとも幾つかに対応する音声合成情報からオーデイオ信号を生成すること、
を備える、ユーザデバイスを動作させる方法。
【請求項６８】
前記ユーザデバイスは、放送オーデイオ信号から生成されるオーデイオを再生すること及び前記オーデイオ信号の受信におけるロスの関数として音声合成情報からオーデイオ信号を生成することの間で切替わり、前記合成されるオーデイオは、対応するオーデイオ信号の受信が失われる場合に、用いられる、請求項６７の方法。
【請求項６９】
放送オーデイオ信号の対応するセグメントを受信するより前に受信される放送オーデイオ信号の１つのセグメントに対応する受信音声合成情報を記憶することをさらに備える、請求項６８の方法。
【請求項７０】
対応するオーデイオ・セグメントの首尾よい受信に続いて前記記憶された受信音声合成情報を削除することをさらに備える、請求項６９の方法。
【請求項７１】
前記記憶された受信音声合成情報の前記削除は、対応する方法オーデイオ・セグメントが可聴信号として前記デバイスのユーザに提供されたる後に行われる、請求項７０の方法。
【請求項７２】
前記ユーザデバイスは無線端末である、請求項７１の方法。
【請求項７３】
前記無線端末はＯＦＤＭ受信機を含む携帯可能通信デバイスである、請求項７２の方法。
【請求項７４】
前記受信音声合成情報は、i）音声の音声表示及びii）音声のテキスト表示の少なくとも一方を含む、請求項６８の方法。
【請求項７５】
前記受信音声合成情報は、音声合成器制御情報をさらに含む、請求項７４の方法。
【請求項７６】
少なくとも幾つかの音声合成パラメータを首尾よく受信されたオーデイオ信号の関数として更新すること、
及び、音声のテキスト表示を含む受信放送音声合成器情報を用いるオーデイオ信号の後続の生成において前記更新された音声合成パラメータの少なくとも幾つかを用いること、
さらに備える請求項６８の方法。
【請求項７７】
放送圧縮オーデイオ信号と、i）音声の音声表示及びii）音声のテキスト表示の少なくとも一方を含む放送音声合成情報とを受信するための受信機と、
記憶された放送送信スケジュール情報と、
前記放送送信スケジュール情報に従って前記放送圧縮オーデイオ信号及び前記放送音声合成情報を受信するために前記受信機を制御するための受信器制御モジュールと、
首尾よく受信される放送圧縮オーデイオ信号に基づいてオーデイオを出力するために信号を生成するためのオーデイオ信号ベース生成モジュールと、
受信音声合成情報に基づいてオーデイオを出力するために信号を生成するための音声合成ベース生成モジュールと、
前記無線端末が受信しようとしている放送オーデイオ信号の一部分が受信されるか又は首尾よく受信されないかを決定するための及び前記決定に基づいて前記オーデイオ信号ベース生成モジュール及び前記音声合成ベース生成モジュールの間で動作を切替えるためのオーデイオ信号受信品質モジュールと、
を備える無線端末。
【請求項７８】
前記受信放送音声合成情報は、合成器制御パラメータ情報をさらに含む、請求項７７の無線端末。
【請求項７９】
放送オーデイオ信号の対応するセグメントを受信する前に受信される放送オーデイオ信号のセグメントに対応する受信音声合成情報を記憶するための音声合成記憶モジュールをさらに備える、請求項７７の無線端末。
【請求項８０】
放送オーデイオ信号再生モジュールと、
音声合成信号再生モジュールと、
前記放送オーデイオ信号再生モジュール及び前記音声合成再生モジュールのうちの１つにより１つのセグメントを表わすオーデイオ情報をユーザに提供する後で前記セグメントに対応する音声合成情報を削除するための音声合成情報削除モジュールと、
をさらに備える、請求項７９の無線端末。
【請求項８１】
少なくとも幾つかの音声合成器制御パラメータを首尾よく受信された圧縮オーデイオ信号の関数として生成する及び（又は）更新するための音声合成器パラメータ更新モジュールをさらに備える、請求項７７の無線端末。
【請求項８２】
ユーザ入力に応答して少なくとも幾つかの音声合成器制御パラメータを設定するためのユーザ・プリファレンス・モジュールをさらに備える、請求項７７の無線端末。
【請求項８３】
前記無線端末はモバイル通信デバイスであり、そして、前記受信器はＯＦＤＭ受信器である、請求項７７の無線端末。
【請求項８４】
放送圧縮オーデイオ信号と、i）音声の音声表示及びii）音声のテキスト表示の少なくとも一方を含む放送音声合成情報とを受信するための手段と、
放送送信スケジュール情報を記憶するための手段と、
前記放送送信スケジュール情報に従って前記放送圧縮オーデイオ信号及び前記放送音声合成情報を受信するために前記受信機を制御するための手段と、
首尾よく受信される放送圧縮オーデイオ信号に基づいてオーデイオを出力するために信号を生成するための手段と、
受信音声合成情報に基づいてオーデイオを出力するために信号を生成するための音声合成手段と、
前記無線端末が受信しようとしている放送オーデイオ信号の一部分が受信されるか又は首尾よく受信されないかを決定するための及び前記決定に基づいて前記オーデイオ信号ベース生成モジュール及び前記音声合成ベース生成モジュールの間で動作を切替えるためのオーデイオ信号受信品質手段と、
を備える無線端末。
【請求項８５】
前記受信放送音声合成情報は、合成器制御パラメータ情報をさらに含む、請求項８４の無線端末。
【請求項８６】
放送オーデイオ信号の対応するセグメントを受信する前に受信される放送オーデイオ信号のセグメントに対応する受信音声合成情報を記憶するための音声合成記憶手段をさらに備える、請求項８４の無線端末。
【請求項８７】
少なくとも幾つかの音声合成器制御パラメータを首尾よく受信された圧縮オーデイオ信号の関数として生成する及び（又は）更新するための音声合成器パラメータ更新手段をさらに備える、請求項８４の無線端末。
【請求項８８】
ユーザ入力に応答して少なくとも幾つかの音声合成器制御パラメータを設定するための手段をさらに備える、請求項８４の無線端末。
【請求項８９】
音声合成情報を受信すること、
オーデイオ情報の一部分を受信すること、
オーデイオ情報の一部分が首尾よく受信されていないことを検知すること、
及び、首尾よく受信されなかった前記オーデイオ情報の前記部分の少なくとも幾つかに対応する音声合成情報からオーデイオ信号を生成すること、
を備える方法を実行するためにユーザデバイスを制御するための機械実行可能命令を具現するコンピュータ読取り可能媒体。
【請求項９０】
機械実行可能命令は、放送オーデイオ信号から生成されるオーデイオを再生すること及び前記オーデイオ信号の受信におけるロスの関数として音声合成情報からオーデイオ信号を生成することの間で切替わるように前記ユーザデバイスを制御し、前記合成されるオーデイオは、対応するオーデイオ信号の受信が失われる場合に、用いられる、請求項８９の機械読取り可能媒体。
【請求項９１】
放送オーデイオ信号の対応するセグメントを受信するより前に受信される放送オーデイオ信号の１つのセグメントに対応する受信音声合成情報を記憶する付加的ステップを実行するためにユーザデバイスを制御するための命令をさらに備える、請求項９０の機械読取り可能媒体。
【請求項９２】
対応するオーデイオ・セグメントの首尾よい受信に続いて前記記憶された受信音声合成情報を削除する付加的ステップを実行するためにユーザデバイスを制御するための命令をさらに備える、請求項９１の機械読取り可能媒体。
【請求項９３】
前記記憶された受信音声合成情報の前記削除は、対応する方法オーデイオ・セグメントが可聴信号として前記デバイスのユーザに提供されたる後に行われる、請求項９２の機械読取り可能媒体。
【請求項９４】
前記ユーザ・デバイスは無線端末である、請求項９３の方法。
【発明の詳細な説明】
【技術分野】
【０００１】
本発明は、通信システムに関し、さらに詳細には、エンハンスド・オーデイオ情報（enhanced audio information）の配信（delivery）を改良するための方法及び装置に関する。
【背景技術】
【０００２】
オーデイオ・プログラミングは、通常、１つの中央局（a central point）から複数の受信局（multiple receiving points）に放送される。放送ラジオ又はＴＶ（衛星又は地上）のような無線システム、又は無線セルラー放送システムでは、オーデイオ・プログラミングは、放送のためにサンプル（sampled）されかつ圧縮（compressed）される。それは、オーデイオ・プログラミングを再生するために、受信エンドで処理される。このプロセスは、特に高忠実度オーデイオ再生のためには、大きな送信帯域幅を用いる。音声がオーデイオ・プログラミングである場合には、話者は受信エンドにおいて再生オーデイオから識別可能である。しかし、高忠実度オーデイオを送信するために必要とされる高帯域幅と共に、受信デバイスは一般にオリジナルを再生するにすぎない。受信エンドにおけるユーサは、放送オーデイオ音声の性別（gender）、抑揚、トーン、スピード、言語、等をコントロールできない。さらに、高帯域幅が必要とされるために、オーデイオ・セレクションの限定されたアレイを送信するために利用できるチャンネルは、ほんの限られた数しか存在しない。
【０００３】
オーデイオ音声をテキスト又は音声記号で表示することは技術的に良く知られている。それらの表示は、可聴音声を生成するために音声合成器で処理されうる。性別、抑揚、スピード、トーン、ボリューム、等のような種々の選択的属性をもって音声を生成するために、種々のパラメータを合成処理に適用することも良く知られている。表示記号からの音声合成は、選択的音声表示（alternative phonetic representations）を用いることによるように記号体系選択を変更することによって、任意の言語で達成されうることも知られている。
【０００４】
放送ＴＶ及びラジオ局はネットワーク化及びシンジケート化されることが多く、全国的な放送となることも知られている。このプロセスにおいては、ローカル情報（ローカル・スポーツ、ニュース、天気、等）は視聴者には提供されないことが多い。
【０００５】
放送オーデイオの一般的な問題は、車両がトンネルに入ったり、あるいは、構造物の背後に行く場合のように送信が中断される可能性である。それが放送情報である（受信デバイスは、放送送信者に再送信を依頼する信号を送ることは一般的にできない）から、その中断時に送信されたオーデイオは失われることになる。
【０００６】
上記の論述を考慮して、オーデイオ情報を単独で又は送信ビデオ・プログラミングと組合せて送信する新規であって改良された方法の必要性があることが認識されるべきである。
【発明の概要】
【０００７】
上記の問題及び制限は種々の実装により大きく緩和される。幾つかの実施の形態は、通常は放送シナリオにおいて、放送オーデイオに代えて又はそれに加えて、音声合成情報を送信することを必要とする。音声合成情報は、音声のテキスト又は音声表示でありうる。テキスト・ベースの場合には、合成された音声の表記を修正するために、制御情報（音声パラメータのような）が、受信エンドで適用されうる。例えば、得られた合成ボイスをさらに美的に快くするために、音声合成情報は、種々の訛り（例えば、米国南部の抑揚）で、種々のトーン（例えば、とげとげしい厳しいボイス、あるいは、柔らかい気分が安らぐボイス）で、選択されたスピード、等で、男性のボイスと女性のボイスとして交互に提供されてもよい。これらのパラメータは、音声合成情報と一緒に放送されてもよく、又は、受信デバイスによって供給されてもよく、あるいは、それら２つの組合せであってもよい。受信音声合成情報は、リアルタイムで合成されてもよく、あるいは、後で回収するために記憶されてもよい。さらに、記憶された音声合成情報は、ユーザが合成されたボイスを停止、巻き戻し、又は早送りできるようにするために利用されうる。
【０００８】
幾つかの実施の形態では、テキスト・ベースの音声合成情報は、複数の受信ノード又は局に送られ、そして、各局は、音声合成情報に適用すべき音声パラメータを選択し、種々の受信ノードにおいて種々の可能なオーデイオ音声出力を生ずるようにできる。オーデイオとは異なり、音声合成情報を送信するために必要とされる帯域幅は比較的小さいから、複数のプログラミングが同時に送られうる（又は実効的に同時に、それにより、各プログラムは、受信エンドにおいて“リアルタイム”で合成されうる）。例えば、音声は、音声合成情報を送信することによって達成される場合には、最小の帯域幅で、幾つかの言語で同時に放送されうる。あるいは、ローカル・ニュース、スポーツ、及び天気は、複数の地方に放送でき、そして、各受信デバイスは、それのボイス合成のために用いるべきプログラミングを選択できる。あるいは、１つまたは複数の書籍が、リアルタイム・オーデイブル・レンダリング（real time audible rendering）のために、あるいは、ダウンロードして後で聴くために、ニュース又はスポーツと一緒に送信されてもよい。
【０００９】
さらに、必要帯域幅は比較的小さいので、ターゲット音声を表わす音声合成情報と一緒に、付加情報が送られうる。例えば、テキスト・ベースの音声合成情報と一緒に、音声制御パラメータが送られうる。プログラムについての情報は、付加音声合成情報として含まれうるので、この情報（例えば、著者、タイトル、区分）は、受信ユーザの要求で音声に合成されうる。また、同期化情報、暗号制御、著作権情報、等が、音声合成情報送信と一緒に含まれうる。
【００１０】
他の実施の形態は、放送オーデイオに合致する又は部分的に合致する音声合成情報と一緒に放送オーデイオを送信することを含む。放送オーデイオ信号に合致する音声合成情報が対応する放送音声より先に送信され、そして、放送オーデイオ送信が中断されると、受信デバイスは、先に受信された音声合成情報に戻り、それを合成器に送り、そして放送オーデイオが中断された時点における合成音声と一緒にピックアップすることができる。
【００１１】
他の実施の形態では、音声合成情報は、それが異なる言語であろう点を除いて、ビデオ／オーデイオ放送のオーデイオ部分のような放送オーデイオに合致しうるであろう。それぞれ異なる言語の複数の音声合成情報ストリームを同時に送ることにより、受信ユーザは、ビデオ・プログラミングを見ながら、彼が聞きたい言語を選択できるであろう（その言語に関連した音声合成情報を選択しかつその情報を合合成して音声とすることによって）。これは、例えば、ＭＰＥＧ送信の通信チャンネルに音声合成情報を取り入れることによるような既存の技術で達成されうる。
【００１２】
本発明の付加的特徴及び利益は、下記の詳細な説明において論述される。
【図面の簡単な説明】
【００１３】
【図１】種々の実施の形態に従って実装される例示的な通信システムのネットワーク図を示す。
【図２】種々の実施の形態に従って実装される例示的な基地局を示す。
【図３】種々の実施の形態に従って実装される例示的なモバイルノード（mobile node）を示す。
【図４】種々の実施の形態によるオーデイオ材料セグメンテーション・プロセス（audio material segmentation process）を示す。
【図５】種々の実施の形態によるオーデイオ材料セグメンテーション・プロセスを示す。
【図６】種々の実施の形態による送信音声合成情報に関連した識別情報を示す。
【図７】種々の実施の形態によるオーデイオ／ビデオ及び関連する音声合成情報をセグメント化するプロセスを示す。
【図７Ａ】種々の実施の形態によるオーデイオ／ビデオ及び関連する音声合成情報をセグメント化するプロセスを示す。
【図７Ｂ】種々の実施の形態によるオーデイオ／ビデオ及び関連する音声合成情報をセグメント化するプロセスを示す。
【図８】種々の実施の形態によるオーデイオ及び関連する音声合成情報を受信しかつ提供するプロセスを示す。
【図９】種々の実施の形態による通信デバイス、例えば、基地局を動作する例示的な方法のフローチャート図である。
【図１０】種々の実施の態様によるユーザデバイス、例えば、モバイルノードのような無線端末を動作する例示的な方法のフローチャートの図である。
【図１１】種々の実施の形態による無線端末を動作する例示的な方法のフローチャートの図である。
【図１２】種々の実施の形態による無線端末を動作する例示的な方法のフローチャートである。
【図１３】種々の実施の形態による無線端末を動作する例示的な方法のフローチャートの図である。
【図１４】種々の実施の形態に従って実装される例示的な基地局の図である。
【図１５】種々の実施の形態に従って実装される例示的な無線端末、例えば、モバイル・ノードの図である。
【詳細な説明】
【００１４】
エンハンスド・オーデイオ機能（enhanced audio capabilities）のための種々の実施の形態の方法及び装置は、広い範囲のデジタル通信システムに用いられうる。例えば、本発明は、デジタル衛星ラジオ／テレビ放送、デジタル地上波ラジオ／テレビ放送、又はデジタル・セルラー・ラジオ・システムに用いることができる。モデムを備えたノートブック・コンピュータ、ＰＤＡｓ、及びデバイス移動性の観点で無線インターフェースを支持する種々の他のデバイスのようなモバイル通信デバイスをサポートするシステムもまた、種々の実施の形態の方法及び装置を利用できる。
【００１５】
図１は、種々の実施の形態に従って実装された例示的な通信システム１０、例えば、通信リンクによって相互接続された複数のノードを具備するセルラー通信ネットワーク（cellular communication network）を示す。通信システムは、図１に示されているタイプの複数の（multiple）セルを含んでよい。通信セル１０は、基地局１２と、矢印１３、１５によって示されるように無線で基地局１２とデータ及び信号を交換するＮ個のモバイルノード（mobile nodes）１４、１６を含む。このネットワークは、無線リンクで情報を伝達するためにＯＦＤＭ信号を用いてよい。しかし、他のタイプの信号、例えば、ＣＤＭＡ信号が代わりに用いられてもよい。例示的通信システム１００におけるノードは、通信プロトコル、例えば、インターネット・プロトコル（ＩＰ）に基づいて、信号、例えば、メッセージを用いて情報を交換する。
【００１６】
システム１０の通信リンクは、例えば、ワイヤ、ファイバ・オプテイック・ケーブル、及び（又は）無線通信技法を用いて実装されてもよい。種々の実施の形態によれば、基地局１２及びモバイルノード１４、１６は、伝達されているデータ信号、例えば音声又は他のプレイロード（payload）情報とのは独立に制御シグナリング（control signaling）を実行及び（又は）維持できる。制御シグナリングの例は、音声の音声表示、タイミング情報、合成パラメータ（トーン、性別、ボリューム、発話率、その地域の抑揚、等）、及び背景情報（主題分類、タイトル、著者、著作権、デジタル著作権管理、等）を含みうる音声合成情報（speech synthesis information）を含む。発話の表示は、ＡＳＣＩＩ又は他の記号論（symbology）、フォネメス（phonemes）、又は他の発音表示を利用してよい。
【００１７】
図２は、種々の実施の形態に従って実装された例示的な基地局を示す。図示のように、例示基地局１２は、種々の要素がデータ及び情報を交換できるバス２０７によって互いに結合された受信モジュール２０２、送信モジュール２０４、プロセッサ２０６、メモリ２１０、及びネットワーク・インターフェース２０８を含む。受信機モジュール２０２は、モバイルノードから信号を受信するためのアンテナ２０３に結合される。送信機モジュール２０４は、信号をモバイルノードに放送するために用いられうる送信アンテナ２０５に結合される。ネットワーク・インターフェース２０８は、基地局１２を１つ又は複数のネットワーク要素、例えば、ルータ及び（又は）インターネットに結合するために用いられる。このようにして、基地局１２は、基地局１２によってサービス（serviced）されるモバイルノードと他のネットワーク要素との間の通信要素として作用できる。このような実施の形態は、ブロードキャスト・オンリ・モード（broadcast-only mode）で実施可能であり、ある場合には実施され、このような場合には、受信モジュール２０２又はアンテナ２０３に対する必要性はない。
【００１８】
基地局１２の動作は、メモリ２１０に記憶された１つ又は複数のルーチンの指示のもとでプロセッサ２０６によって制御される。メモリ２１０は、通信ルーチン２２３、データ２２０、オーデイオ及び音声合成情報、及びアクテイブ・ユーザ情報２１２（これはブロードキャスト・オンリ・インプルメンテーション（broadcast-only implementation）でも不必要でありうる）を含む。データ２２０は、１つ又は複数のモバイルノードに送信されるべきデータをすくみ、放送オーデイオ信号（broadcast audio signals）（通常はサンプリングされ、圧縮されたフォーマットで）及び音声合成情報を備える。放送オーデイオ（broadcast audio）は、関連する放送オーデイオ（例えば、ＭＰＥＧフォーマット化された材料）を伴う放送ビデオ（broadcast video）で置き換えられてもよく、ある実施の形態では置き換えられる。この場合には、音声合成情報は、このような送信の制御チャンネルで搬送されうる。
【００１９】
オーデイオ及び音声合成情報コントローラ（audio and speech synthesis information controller）２２２は、アクテイブユーザ情報２１２及びデータ２２０と関連して動作する。コントローラ２２２は、モバイルノードがエンハンスド・オーデイオ・サービス（enhanced audio services）を必要としうるかどうか、そしていつ必要としうるかを決定することに関与する。それは、それの決定の基礎を、エンハンスド・オーデイオを要求するモバイルノードからの要求、使用可能なリソース、使用可能なデータ、モバイル優先（mobile priorities）等のような種々の基準に置く。これらの基準により、基地局はそれに接続されたモバイルノードに対して異なる品質のサービス（ＱＯＳ）をサポートできるであろう。あるいは、基地局１２は、放送のみモード（broadcast-only mode）で動作することができ、その場合には、それは、エンハンスド・オーデイオ・サービス（enhanced audio services）を全てのモバイルノードに送信して、それにより、アクテイブユーザ情報２１２の必要性を除去するであろう。
【００２０】
エンハンスド（ボイス合成がサポートされた）オーデイオ・サービス（enhanced (voice synthesis supported) audio services）が提供されるべき場合には、コントローラ２２２は、データ２２０から適切なデータを抽出するであろう。例えば、１つのタイプのエンハンスド・オーデイオは、複数の言語での複数のモバイルノードに対するオーデイオ音声（audio speech）の選択を表わす音声合成情報を放送することを備えてよい。このシナリオでは、各受信モバイルノードは、好ましい言語を選択し、そして、音声合成のためにその言語に対応する音声合成情報を除去（strip out）することができるであろう。これを達成するために、コントローラ２２２は、送信機２０４による放送のための適切な音声合成情報を構成するためにデータ２２０から適切なデータを選択するであろう。
【００２１】
他のタイプのエンハンスド・オーデイオは、オーデイオ音声信号（サンプルされかつ圧縮された）の時間遅延放送が後に続く音声の一部分に対応する音声合成情報を複数のモバイルノードに放送するためであってよい。このようにして、受信ノードは、音声を表わす受信音声合成情報を記憶し、そして後で受信ノードデバイスにおいて、そのオーデイオ音声をユーザに対して再生できるであろう。受信無線信号を遮断するトンネルにユーザが入ったようなことによってオーデイオ音声の受信が中断された場合には、受信ノードはその中断を検知し、そして、その中断が生じた時点から始まって、先に受信された音声の音声合成情報表示から音声を合成することを始める。このようにして、放送オーデイオ音声によって表わされるように、合成音声がオリジナル・スピーカの音声になくても、そのモバイルノードにおけるユーザは、その音声のいかなる部分をも見逃すことはないであろう。エンハンスド・オーデイオ・サービスのこの実装（implementation）では、コントローラ２２２は、データ２２０から適切な音声合成情報及びそれの対応するオーデイオ信号を選択するであろう。
【００２２】
さらに他のタイプのエンハンスド・オーデイオは、オーデイオ音声の一部分に対応する音声合成情報を複数（multiple）のモバイルノードに放送するためであってよく、その場合、音声合成制御情報は、性別、トーン、ボリューム、発話率、地域の抑揚、等を種々に表わす合成パラメータを含む。あるいは、合成パラメータの幾つか又は全てがモバイルノードによって局所的に供給されうる。このようにして、受信モバイルノードは、音声の音声合成情報表示を受信し、関連したパラメータの中から選択し、そして選択されたパラメータに従って音声を合成することができる。このようにして、モバイルノードにおけるユーザは、基地局１２からのオーデイオ情報の配信の態様を制御することができる。これにより、１つのモバイルノードは、他のモバイルノードとは異なる音声のオーデイオ表現（audio rendition）を生成できる。例えば、あるユーザは話者を男性として合成することができ、他のユーザは同じ受信内容を女性のボイスで合成することができるであろう。
【００２３】
さらに他のタイプのエンハンスド・オーデイオは、送信された音声合成情報に含まれた対応する背景情報と一緒に、オーデイオ信号を複数のモバイルノードに放送するためであってよい。このような背景情報は、オーデイオ分類（スポーツ、天気、本、等）、タイトル、著者、著作権、デジタル著作権管理、暗号化制御、等であってよい。背景情報は、セキュリテイ制御、暗号化、オーデイオ区分（audio classification）、等のような合成プロセスを制御するためにモバイルノードによって使用されるべきデータを含んでいてもよく、或いは、放送の又は合成されたオーデイオ・プログラム材料（audio program material）のようなモバイルノードにおいてユーザに対して入手可能な追加オーデイオ材料として合成を受けるデータであってもよい。
【００２４】
アクテイブユーザ情報２１２は、基地局１２によってサービスを提供される各アクテイブユーザ及び／又はモバイルノードに対する情報を含む。各モバイルノード及び／又はユーザに対して、それは、そのユーザに利用可能なエンハンスド・オーデイオ・サービスを含み、また、音声合成パラメータに関するユーザ・プリファレンス（user preferences）を、それらのパラメータが基地局１２において実行される程度だけ、含む。例えば、１つのサブセットのユーザは、早口の男性のボイスによるスペイン語のエンハンスド・オーデイオを好むかも知れない。他の部類のユーザは、女性のボイスで、米国南部の訛り又は抑揚での英語のエンハンスド・オーデイオを好むかも知れない。基地局１２は、上記の他のプレファレンス（preferences）のそれぞれに対する合成制御パラメータと一緒に、各言語の音声合成情報を全てのモバイルノードに送ることができ、あるいは、同様の好みを有する複数のサブセットの受信機に対する送信を調整することができる。
【００２５】
図３は、例示的な無線端末、例えば、種々の実施の形態に従って実装されるモバイルノード１４を示す。モバイルノード１４は、図３に示されているように互いに結合された受信機３０２、送信機３０４、音声合成器３０８、アンテナ３０３、３０５、メモリ３１０、ユーザＩ／Ｏデバイス３０９、及びプロセッサ３０６を含む。モバイルノードは、基地局１２へ情報を送信しかつ基地局１２から情報を受信するためにそれの送信機３０６、受信機３０２、及びアンテナ３０３、３０５を用いる。この場合にも、放送のみ実装では、送信機３０４及びアンテナ３０５は必要ではにであろう。
【００２６】
メモリ３１０は、ユーザ／デバイス情報３１２、データ３２０、セグメント又はタイミング制御モジュール３２４、オーデイオ及び音声合成制御モジュール３２６、及び音声合成パラメータ制御モジュール３２８を含む。モバイルノード１４は、プロセッサ３０６によって実行されるモジュールの制御のもとで動作する。ユーザ／デバイス情報３１２は、デバイス情報、例えば、デバイス識別子、ネットワーク・アドレス又は電話番号を含む。この情報は、例えば、通信チャンネルを割当てる場合に、モバイルノードを識別するために基地局１２によって使用されうる。データ３２０は、例えば、音声合成パラメータの間での選択に関するユーザ・プリファレンス、及び局部的に記憶された音声合成パラメータを含む（もしあれば）。
【００２７】
オーデイオ及び音声合成制御モジュール３２６は、基地局１２から受信された信号及びユーザ入力データと関連して、モバイルノードがエンハンスド・オーデイオ・サービス信号（enhanced audio service signals）を受信しているであろうか否か、その信号のフォーマット、音声合成パラメータの位置（どのパラメータが基地局１２において制御されているか及びどのパラメータがモバイルノード１４において制御されているか）、及び任意の背景情報の制御を決定する。セグメント又はタイミング制御モジュール３２４と関連して、モジュール３２６は、ユーザへの配信（受信放送オーデイオのような）及び音声合成器３０８への配信（音声合成情報）、又は両方のための適切な入来データ・ストリームをプロセッサ３０６に選択させるであろう。
【００２８】
音声合成パラメータ制御モジュール３２８は、基地局１２から受信された及び（又は）データ３２０から局部的に抽出された）適切な合成パラメータを、処理及びモバイルデバイス１４のユーザへの配信のために、音声合成器３０８に入力する。データ３２０はまた、受信された音声合成情報を、後の合成及び再生のために記憶するためにも用いられることができる。
【００２９】
図４は、セグメント放送オーデイオ信号及び放送オーデイオに対応する音声合成情報の図である。前述のように、１つの実装（implementation）は、音声プログラムに関連した音声合成情報を複数（multiple）の受信ノードに送信し、そして、ある遅延の後で、オーデイオ音声プログラムを受信ノードに放送することである。このようにして、受信ノードが（例えば、トンネルに入ったり又は建物や丘の背後を通ることにより）送信ノードとの無線接触を失ったことのより、放送オーデイオ・プログラムが中断された場合には、受信ノードはその中断を検知し、放送オーデイオに対応する受信され記憶された音声合成情報における中断点を識別し、そして合成しそしてその中断点で始まって合成されたオーデイオを受信デバイスのユーザに提示することを開始する。一方、無線接触を失わなかった他の受信デバイスは、放送オーデイオをユーザに提供し続けるであろう。同様にして、中断を受けた受信デバイスは、放送オーデイオの再開を識別して、そして直ちにその信号に戻ることができるであろう。
【００３０】
セグメント・データ４１は、放送オーデイオ・プログラムに関連した音声合成情報の番号を付けたセグメントを表わす。セグメント・オーデイオ・ストリーム（Segmented audio stream）４２は、サンプル（sampled）され、圧縮（compressed）された放送オーデイオ・プログラムのセグメンテーションを表わし、各セグメントは、番号を付けられ、同じ番号の音声合成情報セグメントと関連する。しかし、受信ノードへのストリーム４２セグメントの送信は、セグメント・ストリーム４１から時間的に遅延される。この遅延は、１秒より小さい遅延から数分までの任意の遅延であってよく、放送オーデイオの受信における中断の場合に合成オーデイオの継続を許容することを意図される。
【００３１】
これを達成する１つの方法は、少なくとも最長の予想送信中断と同じ長さだけストリーム１２の送信を遅延させることであろう。例えば、各セグメントが２秒の長さであり、かつ予想中断が４秒の長さでありうる場合には、図４に示されているように、遅延は４秒、すなわち、２セグメントとなるであろう。図４において、バッファ・サイズが２セグメントであるとして、合成セグメント４１が受信される場合にバッファされ又は記憶されるならば、そして、ストリーム４２のオーデイオ・セグメント１及び２（従ってストリーム４１の合成情報セグメント３及び４）の送信が受信されないならば、バッファは合成情報セグメント１及び２を含むであろう。受信ノードは、バッファド・セグメント（buffered segments）（１及び２）を合成し、それらをユーザに再生することができ、そして、送信がストリーム４３のオーデイオ・セグメント３で回復されると、ユーザに再生するためにそのオーデイオ・セグメント及び後続のオーデイオ・セグメントに戻ることができる。このようにして、セグメント１及び２はオーデイオ・セグメント・ストリームの圧縮されたオーデイオではなくて合成されたボイスであろうが、ユーザは、オーデイオ・プログラムの全てのセグメントを受信するであろう。
【００３２】
あるいは、ストリームを物理的にセグメント化する代わりに、記憶された合成情報がユーザに再生されるべき時点を、中断の時点に一致するように、遅延に基づいて指定するためにタイミングが用いられうる。また、それは、合成情報を受信ノードに送信し、そして、オーデイオ・セグメントを送信する前にそれらを記憶するための種々の実施の形態と一致する。このようにして、オーデイオの任意の長さの中断は、中断部分の合成オーデイオでもって修復されうる。
【００３３】
図５は、他の実施の形態に役立つための１つの手法を示す。前述のように、プログラミングは、ＭＰＥＧ技術を用いることにより、ビデオ及びオーデイオでああってもよい。この説明は、ボイス・オーバー・データ・システム（voice over data systems）のような、データを同時に送信するデジタル・オーデイオ送信にも等しく該当する。ＭＰＥＧ音声の場合には、番号によってセグメントに分けられたビデオのストリーム５３、及び対応する識別番号をもってセグメントに分けられたオーデイオの同時ストリーム５２が存在するであろう。さらに、オーデイオの全て又は一部を表わし、かつ合成制御パラメータ及び（又は）背景情報をさらに含む信号の制御データ部分（オーバーヘッド、メンテナンス、又は低速データ部分と呼ばれる場合がある）に音声合成情報の同時送信が存在しうる。
【００３４】
これは、ノード供給された合成制御パラメータを受信することと関連して、ユーザがプログラムのオーデイオ部分に関する種々のエンハンスド・オプション（enhanced options）を提供されうるようにするであろう。これらのオプションは、言語、性別、トーン、音声レート、タイトル、著者、区分、ローカル・ニュース、又は天気、等のようなプログラムに関する付加的情報を含んでよい。これらの選択は、例えば、キーパッド又は他の制御デバイスから入力することにより、ユーザによってなされうる。さらに、音声合成情報における背景情報は、このようなキーパッド又は他の制御デバイスでユーザに提示される選択を含むことができるであろう。
【００３５】
図６は、基地局からの送信の１つの実施の形態の実行を示す。この実施の形態では、音声合成情報は、幾つかの音声プログラムの多くの音声表示を含んでよい。音声の音声表示（ならびに音声のテキスト表示（text representations））は、音声の典型的なサンプルされ圧縮されたオーデイオ表現（audio renditions）と比較して非常に小さな帯域幅を用いるから、同じ音声プログラム又は異なる音声プログラムの多くのバージョンが複数の受信ノードに同時に放送されうる。例えば、セルラー無線環境では、ＯＦＤＭ技術が、オーデイオ音声（audio speech）の種々のストリームを同時に送信するために使用できる。さらに、背景情報及び（又は）合成制御情報は、同じ送信内にインターレースされうる又は織り込まれうる。
【００３６】
図６は、受信ノードに放送される音声合成情報の背景情報の一部を図面６００に示す。具体的には、それは関連する音声合成情報の識別情報を示す。各行は、音声プログラムの表示を含む音声合成情報のストリームと関連付けられている。音声プログラムは、音声の音声表示を含む音声合成情報によって又は関連合成パラメータと共に、音声のテキスト表示によって表わすことができる。前者の場合には、音声合成器は、音声を直接生成するために情報を用いるであろう。後者の場合には、パラメータは、音声を生成するためにテキスト表示と一緒に、音声合成器によって使用されうる。合成パラメータが使用される場合には、それらは、受信ノードによって供給される音声合成情報の一部として、又は両者の組合せとして送信されることができる。
【００３７】
各行は、生成された音声の種々の属性（音声合成器によって生成される）を記述する。特定の例示的属性が、例示のために第１の２つの行に記載されている。例えば、行６１０は、関連した音声合成情報が、速度番号２に設定された音声レートを有し、かつ地域１（例えば、米国南部のような）の訛り又は抑揚を有する男性のボイスを表わす。行６１２に関連する音声合成情報は、音声レート２であるが地域２（例えば、米国中西部のような）の訛りのある女性のボイスを表わしているとして列６０８に識別されている。上述のように、これらの組の音声の属性は、音声の音声表示に取り込まれてもよく（その場合には、行６１０及び６１２属性の各組は発音記号の関連した送信ストリームを有するであろう）、或いは、合成パラメータを適用することにより音声のテキスト表示に追加されてもよい（その場合には、行６１０及び６１２に対しては、音声のテキスト表示の送信は１回だけであり、行６１０及び６１２に関連した属性の２つの組の何れかを合成器が生成できるようにする）。行３０８の他の列６１４、６１６、６１８、６２０、６２２は、これらの音声属性の他の組合せ、又は音量、他の言語、等のような他の属性を表わす。
【００３８】
列６０２は、各行に関連する音声合成情報に関連した地域の識別（郵便番号、名称、等による）を表わす。行６１０の音声属性は地域１の訛りを表わすから、列６０２は行６１０うぃ地域１に関係するとして識別する。列６０４は、各行に関連した音声合成情報の区分を示す。音声属性の第１のストリーム（行６１０）は、スポーツのプログラミングを含む。音声属性の第２の組（行６１２）は、天気の音声プログラミングを含む。列６０６は、各行に表示されたプログラミングの地理的区分を識別する。行６１０は、スポーツ（列６０４で識別された）は、全国的又は国際的ではなく、ローカルであることを示す。同様に、列６０６の行６１２は、関連する音声が、全国的又は国際的な天気ではなくて、地域２からのローカル天気に関することを示す。
【００３９】
図６における情報は、受信ノードがユーザに選択を提供できて、ユーザが図６に関連して上述された属性から選択できるようにするために、音声合成情報ストリームと一緒に放送される。例えば、ユーザが“速度２”及び地域２の訛りの女性のボイスでローカル天気を聞きたい場合には、ユーザは行６１２の属性を選択するであろう。音声の音声表示を含む音声合成情報の場合には、受信ノードは、行６１２に関連した音声合成情報ストリームを選択して、それを音声合成器に送るであろう。音声のテキスト表示を含む音声合成情報の場合には、受信ノードは、行６１２に関連した音声合成情報を選択し、そして、列６０８のパラメータ（音声合成情報ストリームの一部として局所的に記憶されるか或いは受信される）を適用し、両方を音声合成器に提供する。このようにして、原文音声合成情報の同じストリームが、列６０８、行６１０の属性を生成するために１つの受信ノードによって用いられることができ、そして、他の受信ノードは、列６０８、行６１２の属性を有する音声を生成することができるであろう。
【００４０】
図７Ａ及び図７Ｂの組合せよりなる図７は、図４及び５に示されたように放送送信のためのオーデイオ／ビデオ材料及び添付情報をセグメント化するプロセス７００を示す。手順７００の動作はステップ７０１で開始し、そしてステップ７１１へと進む。７０２の材料及び情報の第１の部分はステップ７１１で回収されるであろう。ビデオ材料は処理されかつ符号化されて、ステップ７０３における送信に適したセグメントとなされ、そして、ステップ７０４は、セグメントのタイミング、セグメント識別表示、等のようなセグメント同期化情報を追加するであろう。ビデオ・セグメントは次にステップ７０５で記憶されるであろう。
【００４１】
オーデイオ材料部分は、ステップ７１２で処理され、そこで、符号化され（サンプルされる、圧縮される、等）、送信に適したセグメントとなされるであろう。ステップ７１３は、セグメントのタイミング、セグメント識別表示、等のようなセグメント同期化情報を追加するであろう。オーデイオ・セグメントは次にステップ７１４において記憶されるであろう。
【００４２】
入力情報の情報部分は、ステップ７１２のオーデイオ部分に対応する音声合成情報を生成するために、ステップ７２１において使用されるであろう。例えば、音声合成情報は、材料のオーデイオ部分を表わしてもよく、あるいは、ビデオ／オーデイオ材料（他の言語、背景情報、区分又は識別情報、等）のための他のオーデイオを表わしてもよい。さらに、その情報は、セキュリテイ目的で、又はタイミング及び同期化目的で関連の材料を識別するため、又は音声合成パラメータを取り入れるため又は制御するために、受信ノード又は受信ノードのユーザによって使用されるべき情報を含んでよい。ステップ７２２は、セグメントのタイミング、セグメント識別表示、等のようなセグメント同期化情報を追加するであろう。情報セグメントは次にステップ７２３において記憶されるであろう。動作は、ステップ７０５、７１４及び７２３から、接続ノードＢ７１５を経由してステップ７１７へと進む。ステップ７１７では、ビデオ、オーデイオ、及び情報セグメントが送信目的のために調整（coordinated）される。あるいは、セグメンテーションではなくてタイミング情報が用いられる場合には、ステップ７１７は、そのようなタイミング情報に従って材料及び情報の送信を調整するであろう。
【００４３】
図８は、放送オーデイオ信号及び関連する音性合成情報を受信かつ提供するためのプロセス８００を示す。その信号及び情報は、ステップ８０２において受信され、そしてステップ８０３においてタイプ（放送オーデイオおよび音性合成情報）によって解析（parsed）される。オーデイオ信号は、ステップ８１０において、それの符号化された状態から回復され、そして、ステップ８１１において受信デバイスにおけるスピーカに送られる。ステップ８１２において、ステータス信号がコントローラに送られ、放送オーデイオが使用可能であるかどうか、及びスピーカに送られたオーデイオのタイミング／セグメントを識別する。
【００４４】
一方、ステップ８２０は、種々の音声合成情報ストリームを抽出する。例えば、１つのストリームは、放送オーデイオと同等であるが、異なる言語の音声を含んでもよい。他のストリームは、合成されかつ要請によってユーザに再生されうる放送に関する付加的情報を含んでよい。他の音声号再情報は、音声パラメータ、セキュリテイ情報、コンテンツ区分、等を含んでよい。
【００４５】
ユーザ・プリファレンス及び局所的に記憶されたパラメータ８３０がステップ８２１において回収される。ユーザ・プリファレンスは、リアルタイムでユーザにより記憶される又はキー・インされうる。これらのプレファレンス、及び種々のタイプの受信された音声合成情報に基づいて、ステップ８２２は音声合成器に適切な音声合成情報を送る。これは、音声のテキストベース又は音声表示、及び局所記憶器からの又はステップ８０２において音声合成情報内に受信された任意適切な音声パラメータを含んでよい。
【００４６】
ステップ８２３では、合成器コンテンツ及び関連する制御音声合成情報の記述はコントローラには送られない。コントローラは、放送オーデイオに代えて、合成器の出力をスピーカに送るべきかどうかを決定する状態にある。例えば、システムが、ステップ８０２におけるオーデイオの受信より前に、放送オーデイオの所定のセグメントに関連した音声合成情報を受信するように設定され、かつオーデイオが中断されたことをステップ８１２においてコントローラが知る場合には、コントローラは合成器からの適切な出力をスピーカに送ることができるので、ユーザはオーデイオ材料を聞きそこなうことがない。
【００４７】
他の実施の形態では、放送オーデイオが英語であり、かつユーザがステップ８２１において彼の好みの言語としてスペイン語を指定した（従って、ステップ８２２において、放送オーデイオのスペイン語相当に関連した音声合成情報が合成器に送られた）場合には、コントローラは、放送オーデイオに代えて、合成器の出力をスピーカに送ることができる。
【００４８】
さらに他の実施の形態では、ステップ８２０において抽出された音声合成情報がローカル天気のようなローカル情報を含み、そして、ユーザがステップ８２１において放送オーデイオではなくて天気を聞くためのプレファレンスを表示した（従って、この音声合成情報はステップ８２２において合成器に送られた）場合には、コントローラは、放送オーデイオに代えて合成器からの出力をスピーカに送ることができる。
【００４９】
図９は、種々の実施の形態による通信デバイス、例えば、基地局を動作させる例示的な方法のフローチャート９００の図である。動作がステップ９０２で開始し、通信デバイスがパワーオン（powered on）されかつ初期化される。動作は開始ステップ９０２からステップ９０４へと進む。ステップ９０４において、通信デバイスは、無線通信チャンネルによって、音声合成情報を放送し、前記音声合成情報は、i)音声の音声表示及びii)音声のテキスト表示及び音声合成器制御情報のうちの少なくとも１つを含む。動作は、ステップ９０４からステップ９０６へと進む。ステップ９０６において、通信デバイスは、前記音声合成情報に対応するオーデイオ信号を放送する。
【００５０】
幾つかの実施の形態では、音声合成情報は、合成パラメータの１つのグループからの少なくとも１つの合成パラメータを含み、前記合成パラメータのグループは、トーン、性別、ボリューム、及び音声レートを含む。幾つかの実施の形態では、音声合成情報は、書籍の一部分のコンテンツ及び天気情報のうちの少なくとも１つを伝達する情報を含む。
【００５１】
幾つかの実施の形態では、放送情報の一部分に対応する音声合成情報が、対応する放送オーデイオ信号の送信より前に送信される。種々の実施の形態において、音声合成情報は、少なくとも一部分が対応する放送オーデイオ信号に既に存在する音声を合成する場合に使用されるべき情報を含む。
【００５２】
種々の実施の形態において、音声合成情報は、少なくとも一部分が対応する放送オーデイオ信号に既に存在する音声を合成する場合に使用されるべき情報を含む。幾つかの実施の形態では、音声合成情報は、対応する放送オーデイオ信号に存在しない情報を伝達する音声を合成する場合に使用されるべき情報を含み、前記音声合成情報は、著者、タイトル、著作権、及びデジタル著作権管理情報のうちの少なくとも１つを提供する。種々の実施の形態では、音声合成情報は、対応するオーデイオ信号に存在しない情報を伝達する音声を合成する場合に使用されるべき情報を含み、前記音声合成情報は、対応するオーデイオ情報に含まれない少なくとも幾つかのニュース情報を提供し、前記ニュース情報は、地域天気情報、交通情報、ヘッドライン・ニュース情報、及び株式市場情報のうちの少なくとも１つを含む。
【００５３】
幾つかの実施の形態では、音声合成情報は、前記オーデイオ放送とは異なる言語で伝達する音声を合成するための情報を含み、オーデイオ放送信号及び音声を合成するための対応する情報のうちの少なくとも幾つかは同一である。
【００５４】
図１０は、種々の実施の形態によるユーザデバイス（user device）、例えば、モバイルノードのような無線端末を動作させる例示的な方法のフローチャート１０００の図である。動作はステップ１００２で開始し、ユーザデバイスがパワーオン（powered on）されかつ初期化される。ステップ１００４において、ユーザデバイスは、無線通信チャンネルによって、音声合成情報を受信し、前記音声合成情報は、i)音声の音声表示及びii)音声のテキスト表示及び音声合成器制御情報のうちの少なくとも１つを含む。動作はステップ１００４からステップ１００６へと進む。ステップ１００６では、ユーザデバイスは、オーデイオ情報の一部分を回復させることを試行する。動作はステップ１００６からステップ１００８へと進み、ユーザデバイスは、オーデイオ情報の一部分が首尾よく回復されたかどうかを決定する。オーデイオ情報の一部分が首尾よく回復された場合には、動作はステップ１００８からステップ１０１０へと進み、オーデイオ情報の一部分が首尾よく回復されなかった場合には、動作はステップ１００８からステップ１０１２へと進む。
【００５５】
ステップ１０１０において、ユーザデバイスは、受信された放送オーデイオ信号部分からオーデイオ信号を生成する。動作はステップ１０１０から１０１４へと進み、ユーザデバイスは、受信された放送オーデイオ信号部分から生成されたオーデイオを再生する。
【００５６】
ステップ１０１２において、ユーザデバイスは、首尾よく受信されなかったオーデイオ情報の前記部分の少なくとも幾つかに対応する音声合成情報からオーデイオ信号を生成する。動作はステップ１０１２からステップ１０１６へと進み、ユーザデバイスは、音声合成情報から生成されたオーデイオを再生する。
【００５７】
動作はステップ１０１４又はステップ１０１６からステップ１００４へと進み、ユーザデバイスは付加的音声合成情報を受信する。
【００５８】
図１１は、種々の実施の形態による無線端末を動作させる例示的な方法のフローチャート１１００の図である。動作はステップ１１０２で開始し、無線端末はパワーオンされかつ初期化される。動作はステップ１１０２からステップ１１０４へと進み、無線端末は音声合成情報を受信する。動作はステップ１１０４からステップ１１０６へと進み、無線端末は、放送オーデイオ信号の１つ又は複数のセグメントに対応する音声合成情報を記憶する。動作はステップ１１０６からステップ１１０４及びステップ１１０８へと進む。従って、ステップ１１０４及び１１０６の動作は継続的に反復される。
【００５９】
ステップ１１０８において、無線端末は、オーデイオ情報のセグメントを受信することを試行する。ステップ１１０８は継続的ベースで（on an ongoing basis）実行される。各オーデイオ・セグメント回復試行のために、動作はステップ１１０８からステップ１１１０へと進む。
【００６０】
ステップ１１１０において、無線端末は、放送オーデイオ情報のセグメントが無線端末によって首尾よく受信されたかどうかを決定する。放送オーデイオ情報のセグメントが首尾よく回復された場合には、動作はステップ１１１０からステップ１１１２へと進み、放送オーデイオのセグメントが首尾よく回復されなかった場合には、動作はステップ１１１０からステップ１１１４へと進む。
【００６１】
ステップ１１１２では、無線端末は、受信された放送オーデイオ信号からオーデイオ信号を生成し、そしてステップ１１１６では、受信された放送オーデイオ信号セグメントから生成されたオーデイオを再生する。
【００６２】
ステップ１１１４では、無線端末は、首尾よく受信されなかったオーデイオ情報のセグメントの少なくとも幾つかに対応する音声合成情報からオーデイオ信号を生成する。動作はステップ１１１４からステップ１１１８へと進み、ステップ１１１８において、無線端末は、音声合成情報から生成されたオーデイオを再生する。動作はステップ１１１６又はステップ１１１８からステップ１１２０へと進み、ステップ１１２０において、無線端末は、再生されたセグメントに対応する記憶された受信音声合成情報を削除する。
【００６３】
図１２は、種々の実施の形態による無線端末を動作させる例示的な方法のフローチャート１３００である。動作はステップ１３０２で開始し、無線端末がパワーオンされかつ初期化される。動作は開始ステップ１３０２からステップ１３０６及び１３０４へと進む。ステップ１３０６において、無線端末は、無線通信チャンネルによって音声合成情報を受信する。ステップ１３０４において、ローカル・ユーザ・プリファレンス（local user preference）を受信し、例えば、無線端末のユーザは、音声合成動作に関する１つ又は複数の選択を実行し、１３０６において音声合成パラメータがユーザによって設定されることになる。幾つかの実施の形態では、選択された音声合成パラメータのうちの少なくとも幾つかは、訛り（dialect）、音声レート（speech rate）、及びボイス性別（voice gender）のうちの少なくとも１つを表示する。
【００６４】
動作はステップ１３０６からステップ１３０８へと進む。ステップ１３０８では、無線端末は、前記音声合成情報から可聴音声を生成する。ステップ１３０８は、サブステップ１３１０を含む。サブステップ１３１０では、無線端末は、無線端末のユーザによって設定された少なくとも幾つかの音声合成パラメータを適用する。
【００６５】
図１３は、種々の実施の形態のよる無線端末を動作させる例示的な方法のフローチャート１４００の図である。動作はステップ１４０２において開始し、無線端末がパワーオンされかつ初期化される。動作は開始ステップ１４０２からステップ１４０４へと進み、ステップ１４０４において、無線端末は音声合成情報を受信し、前記音声合成情報は音声に対するテキスト表示を含む。幾つかの実施の形態では、音声に対するテキスト表示を含む受信放送音声合成情報の加えて又はそれに変えて、無線端末は、音声に対する音声表示を含む放送音声合成情報を受信する。幾つかの実施の形態では、無線端末は、音声合成器制御パラメータ情報を含む放送音声合成情報を受信する。幾つかの実施の形態では、動作はまた、ステップ１４０２からステップ１４２４へと進み、ステップ１４２４において、無線端末は、ローカル・ユーザ・プリファレンスを受信し、１４２５において、音声合成パラメータがユーザによって設定されることになる。
【００６６】
動作は、ステップ１４０４からステップ１４０６へと進み、ステップ１４０６において、無線端末は、放送オーデイオ信号の１つ又は複数のセグメントに対応する受信音声合成情報を記憶する。ステップ１４０４及び１４０６の動作は、繰り返しベースで（on a recurring basis）で実行される。動作は、ステップ１４０６からステップ１４０８へと進み、ステップ１４０８は、繰り返しベース（on a recurring basis）で実行される。ステップ１４０８では、無線端末は放送オーデイオ情報を受信することを試行する。各オーデイオ・セグメント回復試行のために、動作はステップ１４０８からステップ１４１０へと進む。
【００６７】
ステップ１４１０において、無線端末は、オーデイオ・セグメントが首尾よく受信されたかどうかを決定する。放送オーデイオ・セグメントが首尾よく受信された場合には、動作はステップ１４１０からステップ１４１２へと進む。オーデイオ・セグメントが首尾よく受信されなかった場合には、動作はステップ１４１０からステップ１４１８へと進む。
【００６８】
ステップ１４１２において、無線端末は、受信放送オーデイオ信号セグメントからオーデイオ信号を生成する。動作は、ステップ１４１２からステップ１４１６及びステップ１４１４へと進む。ステップ１４１４において、無線端末は、受信放送オーデイオ信号の関数として音声合成器パラメータを生成しかつ（又は）更新し、例えば、ボイス・モデル情報（voice model information）を生成する。ステップ１４１４の結果は、受信オーデイオの関数としての音声合成器パラメータ１４１７である。ステップ１４１６に戻ると、ステップ１４１６において、無線端末は、受信放送オーデイオ・セグメントから生成されたオーデイオを再生する。動作はステップ１４１６からステップ１４２２へと進む。
【００６９】
ステップ１４１８に戻ると、ステップ１４１８において、無線端末は、首尾よく受信されなかった放送オーデイオ情報のセグメントの少なくとも幾つかに対応する音声合成情報からオーデイオ信号を生成する。ステップ１４１８は、オーデイオ信号を生成する場合に、記憶されたデフォルト音声合成パラメータ１４１３、ユーザによって設定された音声合成パラメータ１４２５、及び受信オーデイオの関数としての音声合成パラメータのうちの少なくとも１つを用いる。幾つかの実施の態様では、ステップ１４１８において利用される音声合成パラメータのうちの少なくとも幾つかは、フィルタされたパラメータ（filtered parameters）であり、例えば、そのフィルタさらたパラメータは、受信放送オーデイオ信号に基づいて生成ボイス・モデルに関連した品質レベルに応答して再調整される。
【００７０】
動作はステップ１４１８からステップ１４２０へと進む。ステップ１４２０において、無線端末は、音声合成情報から生成されたオーデイオを再生する。動作はステップ１４２０からステップ１４２２へと進む。ステップ１４２２において、無線端末は、再生されたオーデイオに対応する記憶された受信音声合成情報を削除する。
【００７１】
種々の実施の形態において、音声合成パラメータの少なくとも幾つかは、訛り（dialect）、ボイス・レベル、アクセント、音声レート（speech rate）、ボイスの性別（voice gender）、及びボイス・モデル（voice model）のうちの少なくとも１つを示す。
【００７２】
種々の実施の形態において、無線端末は、ＯＦＤＭ受信機を含む携帯通信デバイスである。幾つかのこのような実施の形態では、音声合成情報及び放送オーデイオ情報のうちの少なくとも１つがＯＦＤＭ信号によって伝達される。幾つかのこのような実施の形態では、前記音声合成情報及び放送オーデイオ情報の両方がＯＦＤＭ信号によって、例えば、異なる通信チャンネルによって伝達される。
【００７３】
図１４は、種々の実施の形態に従って実装された例示的な基地局１５００の図である。例示的な基地局１５００は、図１の例示的な基地局１２であってよい。例示的な基地局１５００は、図９の方法を実行する例示的な基地局であってよい。
【００７４】
例示的な基地局１５００は、種々の要素がデータ及び情報をするバス１５１２によって互いに結合される受信機モジュール１５０２、送信機モジュール１５０４、プロセッサ１５０６、Ｉ／Ｏインタフェース１５０８、及びメモリ１５１０を含むメモリ１５１０は、ルーチン１５１８及びデータ／情報１５２０を含む。プロセッサ１５０６、例えば、ＣＰＵは、ルーチン１５１８を実行し、そして、基地局１５００の動作を制御しかつ方法を実行するために、メモリ１５１０におけるデータ／情報を用いる。
【００７５】
受信機モジュール１５０２、例えば、ＯＦＤＭ受信機は、基地局５００が無線端末からアップリンク信号を受信する受信アンテナに結合される。幾つかの実施の形態では、アップリンク信号は、登録要求信号、放送チャンネル有効性及び（又は）プログラミング情報の要求、放送チャンネルへのアクセスの要求、キー情報の要求、無線端末アイデンテイテイ情報、ユーザ／デバイス・パラメータ情報、他の状態情報、及び（又は）ペイ・パー・ビュー・ハンドシェーキング情報（pay per view handshaking information）を含む。幾つかの実施の形態、例えば、基地局が無線端末に対するダウンリンク放送信号伝達（downlink broadcast signaling）をサポートするが、無線端末からのアップリンク信号伝達受信をサポートしない幾つかの実施の形態では、受信機モジュール１５０２は含まれない。受信機モジュール１５０２は、受信アップリンク信号の少なくとも幾つかを復号するための復号器１５１４を含む。
【００７６】
送信機モジュール１５０４、例えば、ＯＦＤＭ無線送信機は、基地局がダウンリンク信号をそれによって無線端末に送信する送信アンテナに結合される。送信機モジュール１５０４は、ダウンリンク信号の少なくとも幾つかを復号するための復号器を含む。送信機モジュール１５０４は、記憶された音声合成情報１５４０の少なくとも幾つかを、無線通信チャンネルによって送信する。送信機モジュール１５０４はまた、記憶された圧縮オーデイオ情報１５３８の少なくとも幾つかを、無線通信チャンネルによって送信する。ダウンリンク信号は、例えば、タイミング／同期化信号、圧縮オーデイオ情報を搬送する放送信号、及び音声合成情報を搬送する放送信号を含む。幾つかの実施の形態では、ダウンリンク信号はまた、登録応答信号、キー情報、プログラミング有効性及び（又は）プログラミング・デイレクトリ情報、及び（又は）ハンドシェーキング信号（handshaking signals）を含む。
【００７７】
幾つかの実施の形態では、圧縮オーデイオ情報と音声合成情報が両方とも、同じ技術、例えば、ＯＦＤＭ信号伝達（OFDM signaling）を用いて伝達される。幾つかの実施の形態では、送信機モジュール１５０４は、複数の信号伝達技術、例えば、ＯＦＤＭ及びＣＤＭＡをサポートする。幾つかの実施の形態では、圧縮オーデイオ情報及び音声合成情報のうちの一方は、１つのタイプの技術を用いて伝達され、そして、他方は、異なる技術を用いて伝達される。
【００７８】
Ｉ／Ｏインタフェース１５０８は、基地局をネットワーク・ノード、例えば、ルータ、他の基地局、コンテンツ・プロバイダ・サーバ、等、及び（又は）インターネットに結合する。基地局１５００によって放送されるべきプログラム情報は、インタフェース１５０８によって受信される。
【００７９】
ルーチン１５１８は、通信ルーチン１５２２、及び基地局制御ルーチン１５２４を含む。通信ルーチン１５２２は、基地局１５００によって用いられる種々の通信プロトコルを実行する。基地局制御ルーチン１５２４は、放送送信制御モジュール１５２６、オーデイオ圧縮モジュール１５２８、セグメンテーション・モジュール１５３０、プログラム・モジュール１５３２、Ｉ／Ｏインタフェース制御モジュール１５３４、及び、幾つかの実施の形態では、ユーザ制御モジュール１５３５を含む。
【００８０】
放送送信制御モジュール１５２６は、記憶された圧縮オーデイオ情報１５３８及び記憶された音声合成情報１５４０の送信を制御する。放送送信制御モジュール１５２６は、放送送信スケジュール情報１５４２に従って、記憶された圧縮オーデイオ情報及び記憶された音声合成情報の送信を制御する。放送圧縮オーデイオ情報の少なくとも幾つかは、放送音声合成情報の少なくとも幾つかに対応する。幾つかの実施の形態では、放送送信制御モジュール１５２６は、放送送信モジュール構成情報１５４４に従って、音声合成情報が対応する放送圧縮オーデイオ信号の送信より前に送信されるように、例えば、音声合成情報の１つのセグメントが圧縮オーデイオ情報の対応するセグメントより前に送信されるべく制御されるように、放送圧縮オーデイオ情報の一部分に対応する音声合成情報の送信を制御する構成とされる。
【００８１】
オーデイオ圧縮モジュール１５２８は、オーデイオ情報１５３６を圧縮オーデイオ情報１５３８に変換する。幾つかの実施の形態では、圧縮オーデイオ情報が直接Ｉ／Ｏインタフェース１５０８によって受信され、モジュール１５２８をバイパスする。
【００８２】
セグメンテーション・モジュール１５３０は、記憶された圧縮オーデイオ情報１５３８のセグメンテーション及び送信されるべき記憶された音声合成情報１５４０のセグメンテーション、例えば、コンテンツ・プロバイダからの受信プログラム情報の送信セグメントへのセグメンテーションに関連した部分を制御する。プログラム・モジュール１５３２は、基地局によって使用されている種々の包装無線通信チャンネルに対するプログラム・コンテンツのトラッキング及びプログラム・デイレクトリ関連動作を制御する。
【００８３】
Ｉ／Ｏインタフェース制御モジュール１５３４は、Ｉ／Ｏインタフェース１５０８の動作、例えば、後で放送されるべき受信プログラム・コンテンツを制御する。受信モジュール１５０２を有する幾つかの実施の形態に含まれるユーザ制御モジュール１５３５は、無線端末登録、無線端末アクセス、キー送信、ペイ・パー・ビュー、デイレイクトリ配信（directory delivery）、及びハンドシェーキング動作に関連した動作を制御する。
【００８４】
データ／情報１５２０は、記憶されたオーデイオ情報１５３６、記憶された圧縮オーデイオ情報１５３８、記憶された音声合成情報１５４０、記憶された放送送信スケジュール情報１５４２、放送送信モジュール構成情報１５４４、及び、幾つかの実施の形態では、ユーザ・データ／情報１５４５を含む。
【００８５】
記憶された音声合成情報１５４０は、音声情報の音声表示１５４６、音声のテキスト表示１５４８、及び音声合成器制御情報１５５０を含む。音声合成器制御情報１５５０は、合成パラメータ情報１５５２を含む。音声合成器パラメータ情報１５５２は、トーン情報１５５４、性別情報１５５６、ボリューム情報１５５８、音声レート情報１５６０、訛り情報１５６２、声情報１５６３、アクセント情報１５６４、及び地域情報１５６６を含む。
【００８６】
幾つかの実施の形態では、記憶された音声合成情報１５４０は、書籍の一部分のコンテンツ及び天気情報の少なくとも１つを伝達する情報を含む。幾つかの実施の形態では、記憶された音声合成情報１５４０は、書籍の一部分のコンテンツ、記事の一部分、記事論評（editorial commentary）、ニュース情報、天気情報、及び広告を含む。
【００８７】
種々の実施の形態において、音声合成情報１５４０は、少なくとも一部分が対応する放送オーデイオ信号に既に存在している音声を合成する場合に用いられるべき情報を含む。種々の実施の形態において、音声合成情報１５４０は、少なくとも一部分が対応する放送オーデイオ信号にまだ存在していない音声を合成する場合に用いられるべき情報を含む。幾つかの実施の形態では、音声合成情報１５４０は、対応する放送オーデイオ信号に存在しない情報を伝達する音声を合成する場合に用いられるべき情報を含み、前記音声合成情報は、著者、タイトル、著作権及びデジタル著作権（digital rights）管理情報の少なくとも１つを提供する。幾つかの実施の形態では、音声合成情報１５４０は、対応する放送オーデイオ信号に存在しない情報を伝達する音声を合成する場合に用いられるべき情報を含み、前記音声合成情報は、対応するオーデイオ情報に含まれない少なくとも幾つかのニュース情報を提供し、前記ニュース情報は、地域天気情報（regional weather information）、ローカル天気情報（local weather information）、交通情報、ヘッドライン・ニュース情報及び株式市場情報のうちの少なくとも１つを含む。
【００８８】
幾つかの実施の形態では、音声合成情報は、前記オーデイオ放送とは異なる言語で搬送する音声を合成するための情報を含み、オーデイオ放送信号によって搬送される情報の少なくとも幾つかと音声を合成するための対応する情報は同一である。
【００８９】
幾つかの実施の形態に含まれるユーザ・データ／情報１５４５は、例えば、登録情報、アクセス情報、キー、セッション・トラッキング情報、プログラム選択情報、コスト情報、チャージ情報のようなアカウンテイング情報、ユーザ識別情報、及び他のユーザ状態情報を含む。ユーザ・データ／情報１５４５は、基地局１５００接続ポイント（attachment point）を用いる１つ又は複数の無線端末に対応する情報を含む。
【００９０】
図１５は、種々の実施の形態に従って実装される例示的な無線端末１６００、例えば、モバイルノードの図である。例示的無線端末１６００は、図１のシステムの無線端末のうちの何れかであってよい。例示的無線端末１６００は、図１０、１１、１２又は１３による方法を実行する無線端末のうちの何れかであってよい。
【００９１】
例示的無線端末１６００は、種々の要素がデータ及び情報を交換できるバス１６１２によって互いに結合される受信機モジュール１６０２、送信機モジュール１６０４、プロセッサ１６０６、Ｉ／Ｏデバイス１６０８、及びメモリ１６１０を含む。メモリ１６１０は、ルーチン１６１８及びデータ／情報１６２０を含む。プロセッサ１６０６、例えば、ＣＰＵは、ルーチン１６１８を実行し、そして、無線端末の動作を制御しかつ方法を実行するためにメモリ１６１０におけるデータ／情報１６２０を用いる。
【００９２】
受信機モジュール１６０２、例えば、ＯＦＤＭ受信機は、受信アンテナ１６０３によって基地局、例えば、基地局１５００からダウンリンク信号を受信する。受信ダウンリンク信号は、タイミング／同期化信号、オーデイオ信号、例えば、圧縮オーデイオ信号を搬送する放送信号、音声合成情報を搬送する放送信号を含む。幾つかの実施の形態では、受信信号は、登録応答信号、キー情報、放送プログラム・デイレクトリ情報、ハンドシェーキング情報、及び(又は)アクセス情報を含んでよい。幾つかの実施の形態では、受信機モジュール１６０２は、複数のタイプの技術、例えば、ＯＦＤＭ及びＣＤＭＡをサポートする。受信機モジュール１６０２は、受信ダウンリンク信号の少なくとも幾つかを復号する復号器を含む。
【００９３】
送信機モジュール１６０４、例えば、ＯＦＤＭ送信機は、無線端末がアップリンク信号を基地局に送信する送信アンテナに結合される。アップリンク信号は、例えば、登録要求信号、放送チャンネルへのアクセスの要求、キー、例えば、暗号キーの要求、放送デイレクトリ情報の要求、放送プログラム、セッション情報、アカウンテイング情報、識別情報に関する選択オプションの要求、等を含む。幾つかの実施の形態では、受信機及び送信機に対して、例えば、デユプレクサ・モジュールに関連して、同じアンテナが用いられる。幾つかの実施の形態では、無線端末１６００は、送信機モジュール１６０４を含まず、そして、その無線端末はダウンリンク放送情報を受信するが、それがダウンリンク放送信号を受信している基地局にはアップリンク信号を伝達しない。
【００９４】
Ｉ／Ｏデバイス１６０８は、ユーザがデータ／情報を入力すること、例えば、音声合成で用いられる制御パラメータを含むオプションを選択すること、データ／情報を出力すること、例えば、オーデイオ出力を聞くことを可能にする。
【００９５】
Ｉ／Ｏデバイス１６０８は、例えば、キーパッド、キーボード、タッチスクリーン、マイクロフォン、スピーカ、デイスプレイ、等である。幾つかの実施の形態では、音声合成器は、少なくとも部分的にハードウエアで実装され、そして、Ｉ／Ｏデバイス１６０８の一部として含まれる。
【００９６】
ルーチン１６１８は、通信ルーチン１６２２及び無線端末制御ルーチン１６２４を含む。通信ルーチン１６２２は、無線端末１６００によって用いられる種々の通信プロトコルを実行する。無線端末制御ルーチン１６２４は、受信機制御モジュール１６２６、放送オーデイオ受信品質決定モジュール１６２７、オーデイオ信号生成モジュール１６２８、再生モジュール１６３０、音声合成情報記憶モジュール１６３２、音声合成情報削除モジュール１６３４、ユーザ・プリファレンス・モジュール１６３６、音声合成パラメータ生成／更新モジュール１６３８、及びアクセス制御モジュール１６４０を含む。
【００９７】
受信機制御モジュール１６２４は、受信機モジュール１６０２動作を制御する。受信機制御モジュール１６２６は、音声合成情報回復モジュール１６４２及びオーデイオ放送信号回復モジュール１６４４を含む。音声合成放送情報回復モジュール１６４２は、放送スケジュール情報１６７３に従って放送音声情報を受信するために無線端末を制御する。音声合成情報記憶モジュール１６３２は、モジュール１６４２から回復された情報を、例えば、受信放送音声合成情報（セグメント１）１６６０・・・受信放送音声合成情報（セグメントＮ）１６６２として記憶する。オーデイオ放送信号回復モジュール１６４４は、放送スケジュール情報１６７３に従って、例えば、１つのセグメントに対応する放送オーデイオ信号を受信するために受信機モジュール１６０２を制御する。放送オーデイオ受信品質決定モジュール１６２７は、例えば、放送圧縮オーデイオ情報の１つのセグメントの試行受信（attempted reception）に対して、回復が成功であったかどうかを決定する。回復の結果は、オーデイオ・セグメント回復成功／失敗決定１６６４であり、動作フローを、例えば、成功の場合には受信放送オーデイオ信号ベース生成モジュールへと、そして、失敗の場合には音声合成ベース生成モジュール１６４８へと向けるために用いられる。従って、モジュール１６２７は切替えモジュールとして作用する。例えば、失敗は、トンネル、地下道、又は死点を通過することにより信号が一時的に弱くなったりロスしたりすることに基因しうる。
【００９８】
オーデイオ信号生成モジュール１６２８は、受信放送オーデイオ信号ベース生成モジュール１６４６及び音声合成ベース生成モジュール１６４８を含む。受信放送オーデイオ信号ベース生成モジュール１６４６は、例えば、解凍モジュール及び出力スピーカ・デバイスを駆動するための信号を生成する信号生成モジュールである。回復放送オーデイオ情報１６６６は、モジュール１６４６への入力であり、一方、回復放送オーデイオ１６６８に基づく生成オーデイオ出力情報はモジュール１６４６の出力である。音声合成ベース生成モジュール１６４８、例えば、音声合成器は、受信放送音声合成情報の少なくとも幾つか、例えば、情報１６６０の幾つかを用いて、合成に基づいてオーデイオ信号情報を生成する１６７０。幾つかの実施の形態では、ある時間の間、音声合成ベース生成モジュール１６４８はまた、デフォルト音声合成パラメータ１６５４、ユーザによって設定された音声合成パラメータ１６５６、及び受信放送オーデイオの関数としての音声合成パラメータ１６５８のうちの少なくとも１つを用いる。
【００９９】
再生モジュール１６３０は、放送オーデイオ信号再生モジュール１６５０及び音声合成再生モジュール１６５２を含む。放送オーデイオ信号再生モジュール１６５０は、生成モジュール１６４６に結合され、そして、例えば、首尾よく回復された放送オーデイオ・セグメントに対応するオーデイオを再生するために情報１６６８を用いる。音声合成再生モジュール１６５２は、モジュール１６４８に結合され、そして、例えば、対応する放送オーデイオ信号が首尾よく受信されなかった場合に、音声合成から生成されたオーデイオをユーザに再生するために情報１６７０を用いる。
【０１００】
音声合成情報削除モジュール１６３４は、特定のセグメントに対応する情報（１６６０、・・・、１６６２）のうちの１つを、そのセグメントに対応してオーデイオがユーザに対して再生された後で、削除する。ユーザ・プリファレンス・モジュール１６３６は、モジュール１６４８によって用いられるべき音声合成パラメータのうちの少なくとも幾つかを設定するために、例えば、メニュー上のアイテムを選択して無線端末１６００のユーザから得られたローカル・ユーザ・プリファレンスを受信する。ユーザ１６５６によって設定された音声合成パラメータは、ユーザ・プリファレンス・モジュール１６３６の出力である。音声合成器パラメータ生成／更新モジュール１６３８は、モジュール１６４８によって用いられる音声合成パラメータのうちの少なくとも幾つかを、受信放送オーデイオ情報に基づいて、生成しかつ（又は）更新する。例えば、幾つかの実施の形態においては、モジュール１６３８は、放送オーデイオ信号受信の休止中に実行される合成音声が放送オーデイオ音声に密接に類似するように、合成器によって使用されるべきボイス・モデルのパラメータを生成する。受信オーデイオの関数としての音声合成パラメータ１６５８は、モジュール１６３８の出力である。アクセス制御モジュール１６４０は、データが回復されている選択された放送チャンネルを制御する。幾つかの実施の形態では、アクセス制御モジュール１６４０はまた、アクセス要求、キーの要求、デイレクトリ情報の要求を生成し、ペイ・フォア・ビュー要求（pay for view requests）を識別しかつ生成し、レスポンスを処理し、かつ（又は）基地局が放送プログラムを送信している状態でハンドシェーキング動作を行う。
【０１０１】
データ／情報１６２０は、デフォルト音声合成パラメータ１６５４、ユーザによって設定される音声合成パラメータ１６５６、受信放送オーデイオの関数としての音声合成パラメータ１６５８、受信放送音声合成情報（セグメント１）１６６０、・・・、受信放送音声合成情報（セグメントＮ）１６６２、オーデイオ・セグメント回復成功／失敗決定１６６４、回復放送オーデイオ情報１６６６、回復放送オーデイオに基づく生成オーデイオ出力情報１６６８、合成に基づく生成オーデイオ出力情報１６７０、アクセス・データ／情報１６７２、及び放送スケジュール情報１６７３を含む。
【０１０２】
受信放送音声合成情報１６６０は、音声の音声表示１６７４、音声のテキスト表示１６７６、及び音声合成器制御情報１６７８を含む。音声合成器制御情報１６７８は、合成パラメータ情報を含む。情報１６７８、１６５４、１６５６、及び（又は）１６５８に含まれた合成パラメータ情報は、トーン情報、性別情報、ボリューム情報、音声レート情報、アクセント情報、訛り情報、地域情報、ボイス情報、及び民族性情報のうちの少なくとも１つを含む。
【０１０３】
幾つかの実施の形態では、音声合成情報（１６６０、・・・１６６２）は、書籍の一部分のコンテンツ及び天気情報のうちの少なくとも１つを伝達する情報を含む。幾つかの実施の形態では、音声合成情報（１６６０、・・・１６６２）は、書籍の一部分のコンテツ、記事の一部分、記事論評（editorial commentary）、ニュース情報、天気情報、及び広告のうちの少なくとも１つを伝達する情報を含む。
【０１０４】
種々の実施の形態において、音声合成情報（１６６０、・・・１６６２）は、少なくとも一部分が対応放送オーデイオ信号に既に存在する音声を合成する場合に使用されるべき情報を含む。種々の実施の形態において、音声合成情報（１６６０、・・・１６６２）は、少なくとも一部分が対応放送オーデイオ信号にまだ存在しない音声を合成する場合に使用されるべき情報を含む。幾つかの実施の形態では、音声合成情報（１６６０、・・・１６６２）は、対応放送オーデイオ信号に存在しない情報を伝達する音声を合成する場合に使用されるべき情報を含み、前記音声合成情報は、著者、タイトル、著作権、デジタル著作権管理情報の少なくとも１つを提供する。幾つかの実施の形態では、音声合成情報（１６６０、・・・１６６２）は、対応放送オーデイオ信号に存在しない情報を伝達する音声を合成する場合に使用されるべき情報を含み、前記音声合成情報は、対応オーデイオ情報に含まれない少なくとも幾つかのニュース情報を提供し、前記ニュース情報は、地域天気情報（regional weather information）、ローカル天気情報（local weather information）、交通情報、ヘッドライン。ニュース情報及び株式市場情報のうちの少なくとも１つを含む。
【０１０５】
幾つかの実施の形態では、音声合成情報（１６６０、・・・１６６２）は、前記オーデイオ放送とは異なる言語で搬送する音声を合成するための情報を含み、オーデイオ放送信号によって搬送される情報及び音声を合成するための対応情報のうちの少なくとも幾つかは同一である。
【０１０６】
種々の実施の形態において、ここに記載されるノードは、１つ又は複数の方法に対応するステップ、例えば、信号処理、音声合成情報処理、及び（又は）音声合成パラメータ及びタイミング制御ステップを実行するための１つ又は複数のモジュールを用いて実装される。従って、幾つかの実施の形態では、種々の特徴が、モジュール又はコントローラを用いて実装される。このようなモジュール又はコントローラは、ソフトウエア、ハードウエア又はソフトウエア及びハードウエアの組合せを用いて実装されうる。上記の方法又は方法ステップの多くは、上記の方法の全部又は部分を、例えば、１つ又は複数のノードで実行するための機械、例えば、付加ハードウエアを有する又は有しない汎用コンピュータを制御するための、例えば、ＲＡＭ、フロッピー（登録商標）デイスク、等のような機械読取り可能媒体に含まれたソフトウエアのような機械実行可能命令を用いて実行されうる。従って、特に、種々の実施の形態は、機械、例えば、プロセッサ及び関連するハードウエアに上記の方法のステップの１つ又はそれより多くを実行させるための機会実行可能命令を含む機械読取り可能媒体に関する。
【０１０７】
上述した種々の実施の形態の方法及び装置に対する多数の付加的変更が、上記の説明をより当業者には明らかであろう。そのような変更は範囲内であると考えられるべきである。それらの方法及び装置は、ＣＤＭＡ、直交周波数分割多重化（ＯＦＤＭ）、又はアクセスノードとモバイルノードの間に無線通信リンクを提供するために使用されうる種々の他のタイプの通信技法に対して使用されてもよく、そして、種々の実施の形態において、使用される。種々の実施の形態において、モバイルノード、又は他の放送受信デバイスは、ノートブックコンピュータ、携帯情報端末（ＰＤＡｓ）、又は受信機／送信機回路及び方法を実行するためのロジック及び（又は）ルーチンを含む携帯又は非携帯デバイスとして実装されうる。
【図１】
2009544247.tif 000003
【図２】
2009544247.tif 000004
【図３】
2009544247.tif 000005
【図４】
2009544247.tif 000006
【図５】
2009544247.tif 000007
【図６】
2009544247.tif 000008
【図７】
2009544247.tif 000009
【図７Ａ】
2009544247.tif 000010
【図７Ｂ】
2009544247.tif 000011
2009544247.tif 000012
【図８】
2009544247.tif 000013
【図９】
2009544247.tif 000014
【図１０】
2009544247.tif 000015
【図１１】
2009544247.tif 000016
【図１２】
2009544247.tif 000017
【図１３】
2009544247.tif 000018
【図１４】
2009544247.tif 000019
【図１５】
2009544247.tif 000020
【国際調査報告】
2009544247.tif 000021
2009544247.tif 000022
2009544247.tif 000023
2009544247.tif 000024
2009544247.tif 000025
2009544247.tif 000026
2009544247.tif 000027